(57)【特許請求の範囲】
【請求項１】
インクを吐出するインク吐出部と、該インク中の色材を不溶化または凝集させる作用を有する処理液を吐出する処理液吐出部とを用いて、記録媒体に記録を行うインクジェット記録方法において、
前記インク吐出部および前記処理液吐出部を前記記録媒体に対して走査させながら前記記録媒体上にインク及び処理液を吐出して記録を行う第１の記録モードと、前記インク吐出部および前記処理液吐出部を前記記録媒体に対して走査させながら前記記録媒体上にインクを吐出し処理液は吐出せずに記録を行う第２の記録モードのいずれかを選択する第１の選択工程と、
前記インク吐出部および前記処理液吐出部の１回の走査で前記記録媒体上の所定領域に対する記録を完成させる１パス記録モードと、前記インク吐出部および前記処理液吐出部の複数回の走査で前記記録媒体上の所定領域に対する記録を完成させるマルチパス記録モードのいずれかを選択する第２の選択工程と、
前記第１の選択工程における選択結果および前記第２の選択工程における選択結果に基づいて、前記インク吐出部および前記処理液吐出部と前記記録媒体との間の距離を設定する設定工程とを有し、
前記第１の選択工程において前記第１の記録モードが選択され且つ前記第２の選択工程において前記１パス記録モードが選択された場合に設定される第１距離と、前記第１の選択工程において前記第１の記録モードが選択され且つ前記第２の選択工程において前記マルチパス記録モードが選択された場合に設定される第２距離と、前記第１の選択工程において前記第２の記録モードが選択された場合に設定される第３距離との関係は、第１距離＞第２距離＞第３距離であることを特徴とするインクジェット記録方法。
【請求項２】
前記第１の選択工程において前記第２の記録モードが選択された場合に、記録媒体の種類がフィルム媒体であるか否かを判断する判断工程を更に有し、
前記判断工程においてフィルム媒体であると判断された場合は、前記フィルム媒体でないと判断された場合に比べ、前記設定工程において設定される距離が小さいことを特徴とする請求項１に記載のインクジェット記録方法。
【請求項３】
インクを吐出するインク吐出部と、該インク中の色材を不溶化または凝集させる作用を有する処理液を吐出する処理液吐出部とを用いて、記録媒体に記録を行うインクジェット記録方法において、
記録媒体の種類が普通紙であるか否かを判断する第１の判断工程と、
前記第１の判断工程において普通紙と判断された場合、前記インク吐出部および前記処理液吐出部の１回の走査で前記記録媒体上の所定領域に対する記録を完成させる１パス記録モードか、前記インク吐出部および前記処理液吐出部の複数回の走査で前記記録媒体上の所定領域に対する記録を完成させるマルチパス記録モードかを判断する第２の判断工程と、
前記第２の判断工程において前記１パス記録モードであると判断された場合に、前記インク吐出部および前記処理液吐出部と前記記録媒体との間の距離を第１距離に設定する第１の設定工程と、
前記第２の判断工程において前記マルチパス記録モードであると判断された場合に、前記インク吐出部および前記処理液吐出部と前記記録媒体との間の距離を第２距離に設定する第２の設定工程と、
前記第１の判断工程において普通紙でないと判断された場合、記録媒体の種類がフィルム媒体であるか否かを判断する第３の判断工程と、
前記第３の判断工程においてフィルム媒体でないと判断された場合に、前記インク吐出部および前記処理液吐出部と前記記録媒体との間の距離を第３距離に設定する第３の設定工程と、
前記第３の判断工程においてフィルム媒体であると判断された場合に、前記インク吐出部および前記処理液吐出部と前記記録媒体との間の距離を第４距離に設定する第４の設定工程とを有し、
第１距離＞第２距離＞第３距離＞第４距離であることを特徴とするインクジェット記録方法。
【請求項４】
インクを吐出するインク吐出部と、該インク中の色材を不溶化または凝集させる作用を有する処理液を吐出する処理液吐出部とを用いて、記録媒体に記録を行うインクジェット記録装置において、
前記インク吐出部および前記処理液吐出部を前記記録媒体に対して走査させながら前記記録媒体上にインク及び処理液を吐出して記録を行う第１の記録モードと、前記インク吐出部および前記処理液吐出部を前記記録媒体に対して走査させながら前記記録媒体上にインクを吐出し処理液は吐出せずに記録を行う第２の記録モードのいずれかを選択する第１の選択手段と、
前記インク吐出部および前記処理液吐出部の１回の走査で前記記録媒体上の所定領域に対する記録を完成させる１パス記録モードと、前記インク吐出部および前記処理液吐出部の複数回の走査で前記記録媒体上の所定領域に対する記録を完成させるマルチパス記録モードのいずれかを選択する第２の選択手段と、
前記第１の選択手段による選択結果および前記第２の選択手段による選択結果に基づいて、前記インク吐出部および前記処理液吐出部と前記記録媒体との間の距離を設定する設定手段とを有し、
（Ａ）前記第１の選択手段が前記第１の記録モードを選択し且つ前記第２の選択手段が前記１パス記録モードを選択した場合は、前記第１の選択手段が前記第１の記録モードを選択し且つ前記第２の選択手段が前記マルチパスパス記録モードを選択した場合よりも、前記設定手段により前記距離が大きく設定され、且つ（Ｂ）前記第１の選択手段が前記第１の記録モードを選択し且つ前記第２の選択手段が前記マルチパスパス記録モードを選択した場合は、前記第１の選択手段が前記第２の記録モードを選択した場合よりも、前記設定手段により前記距離が大きく設定されることを特徴とするインクジェット記録装置。
【発明の詳細な説明】
【０００１】
【発明の属する技術分野】
本発明は、記録用液体（以下インクと称する）を飛翔的液滴としてインク吐出口から吐出させ記録媒体に付着させることにより記録を行うインクジェット記録装置に関するものである。
【０００２】
【従来の技術】
インクジェット記録方式は、インクジェット記録ヘッドからインク液滴を紙、高画質記録媒体（専用コート紙、光沢紙、光沢フィルム等）、ＯＨＰ用フィルムなどの記録媒体に吐出して記録を行うものであるため、吐出したインク滴以外に発生した微細なインク滴や記録媒体へ吐出したインク滴の跳ね返りなどのミストを生じることがあり、これらのミスト等がインクジェット記録ヘッドの吐出口面に付着することがある。このようなインク滴が吐出口の周囲に多量に付着し、またはこれに紙粉等の異物が付着した場合には、インク吐出が阻害され、ヨレ（インクの吐出方向がずれる現象）不吐出等の弊害を引き起こすという問題がある。
【０００３】
特に、インクジェット記録ヘッドと記録媒体の間隔（以下紙間と称す）が１ｍｍ以下の狭い時には、上記跳ね返りミストが多量に吐出口に付着する。
【０００４】
インクジェット記録方式では、上記問題に関して紙間を広くすることで上述のインクミストの付着量を減らすことやインクミストによる吐出口面の汚れをゴム等の弾性部材で形成したブレードにより吐出口面をワイピングすることで清掃除去することが一般的に採用されている。
【０００５】
また、普通紙のようなインクを多量に吸収することで伸びる記録媒体において、インクジェット記録ヘッドと紙間が狭い場合、高デューティー記録時に記録媒体にコックリング現象が生じてたわむことでヘッドと記録媒体が擦ってしまうという問題がある。
【０００６】
上記問題に対して、一般的には紙間を広げることで対応している。しかし、紙間を広げることは、それに比例してヨレが大きくなり記録品位の低下を招く。更にカラー記録のように複数のインクジェット記録ヘッドを有するインクジェット記録装置の場合には各ヘッドのレジストレーション（ヘッドの位置合せ）がずれてしまい、記録品位の低下やカラーバランスが崩れてしまうことが生じる。
【０００７】
一方、耐水性や画質向上の観点から、インクとともにインク中の色材を不溶化する処理液を用いて記録を行う場合には、耐水性、画質等は向上するものの、上述した跳ね返りミストによって吐出口面の吐出口部およびその近傍にこの不溶化したものが徐々に付着していく。このような付着物は上述したワイピングや予備吐出や吸引回復では除去し難いものとなり、重大な吐出不良を引き起こすことがある。
【０００８】
インクの不溶化したものの吐出部等への付着は主に次に示す現象によって発生する。すなわち、インクジェット記録ヘッドから吐出されたインク滴や処理液が記録媒体上で跳ね返り、それらが混合してインクジェット記録ヘッドに付着する場合であり、特に、処理液が既に吐出された所にインク滴が吐出されると、処理液とインク滴が既に反応した不溶化物として跳ね返り付着する場合である。
【０００９】
特開平０９−２１６３５４号公報には、記録媒体上にインクと処理液とを重ねて打ち込んだときに生じる跳ね返りミストの内容および挙動に基づいてカバープレートでインクジェット記録ヘッドの吐出口面の保護をするという発明が提案されている。
【００１０】
しかしながら、カバープレートをインクジェット記録ヘッドと記録媒体の間に設けることから、紙間をカバープレートの板厚分広く取ることになり、上記したように記録品位の低下を招くことになる。
【００１１】
【発明が解決しようとする課題】
そこで、発明が解決しようとする課題は、
１）インクとインク中の色材を不溶化する成分を含む処理液を吐出するインクジェット記録ヘッドを用いて記録を行うに際し、跳ね返りミストによる吐出口への不溶化物の付着を低減すること。
２）記録媒体のコックリングによるインクジェット記録ヘッドの擦れを防止すること。
３）しかも、高画質記録媒体において画質の低下を抑えること。
という上記１）〜３）を両立することである。
【００１２】
【課題を解決するための手段】
上記課題を解決する本発明は、インクを吐出するインク吐出部と、該インク中の色材を不溶化または凝集させる作用を有する処理液を吐出する処理液吐出部とを用いて、記録媒体に記録を行うインクジェット記録方法において、前記インク吐出部および前記処理液吐出部を前記記録媒体に対して走査させながら前記記録媒体上にインク及び処理液を吐出して記録を行う第１の記録モードと、前記インク吐出部および前記処理液吐出部を前記記録媒体に対して走査させながら前記記録媒体上にインクを吐出し処理液は吐出せずに記録を行う第２の記録モードのいずれかを選択する第１の選択工程と、前記インク吐出部および前記処理液吐出部の１回の走査で前記記録媒体上の所定領域に対する記録を完成させる１パス記録モードと、前記インク吐出部および前記処理液吐出部の複数回の走査で前記記録媒体上の所定領域に対する記録を完成させるマルチパス記録モードのいずれかを選択する第２の選択工程と、前記第１の選択工程における選択結果および前記第２の選択工程における選択結果に基づいて、前記インク吐出部および前記処理液吐出部と前記記録媒体との間の距離を設定する設定工程とを有し、前記第１の選択工程において前記第１の記録モードが選択され且つ前記第２の選択工程において前記１パス記録モードが選択された場合に設定される第１距離と、前記第１の選択工程において前記第１の記録モードが選択され且つ前記第２の選択工程において前記マルチパス記録モードが選択された場合に設定される第２距離と、前記第１の選択工程において前記第２の記録モードが選択された場合に設定される第３距離との関係は、第１距離＞第２距離＞第３距離であることを特徴とする。
【００１３】
また、本発明は、インクを吐出するインク吐出部と、該インク中の色材を不溶化または凝集させる作用を有する処理液を吐出する処理液吐出部とを用いて、記録媒体に記録を行うインクジェット記録装置において、前記インク吐出部および前記処理液吐出部を前記記録媒体に対して走査させながら前記記録媒体上にインク及び処理液を吐出して記録を行う第１の記録モードと、前記インク吐出部および前記処理液吐出部を前記記録媒体に対して走査させながら前記記録媒体上にインクを吐出し処理液は吐出せずに記録を行う第２の記録モードのいずれかを選択する第１の選択手段と、前記インク吐出部および前記処理液吐出部の１回の走査で前記記録媒体上の所定領域に対する記録を完成させる１パス記録モードと、前記インク吐出部および前記処理液吐出部の複数回の走査で前記記録媒体上の所定領域に対する記録を完成させるマルチパス記録モードのいずれかを選択する第２の選択手段と、前記第１の選択手段による選択結果および前記第２の選択手段による選択結果に基づいて、前記インク吐出部および前記処理液吐出部と前記記録媒体との間の距離を設定する設定手段とを有し、（Ａ）前記第１の選択手段が前記第１の記録モードを選択し且つ前記第２の選択手段が前記１パス記録モードを選択した場合は、前記第１の選択手段が前記第１の記録モードを選択し且つ前記第２の選択手段が前記マルチパスパス記録モードを選択した場合よりも、前記設定手段により前記距離が大きく設定され、且つ（Ｂ）前記第１の選択手段が前記第１の記録モードを選択し且つ前記第２の選択手段が前記マルチパスパス記録モードを選択した場合は、前記第１の選択手段が前記第２の記録モードを選択した場合よりも、前記設定手段により前記距離が大きく設定されることを特徴とする。
【００１４】
上記構成によれば、記録モードに応じて、紙間を適正に維持することが可能であるため、インクとインク中の色材を不溶化または凝集させる処理液を吐出するインクジェット記録ヘッドを併用して記録を行うに際し、跳ね返りミストによる吐出口への不溶化物の付着を低減することができる。
【００１５】
また、記録媒体のコックリングによるインクジェット記録ヘッドの擦れを防止することができる。
【００１６】
しかも、高画質記録媒体において、紙間を近づけることで高画質記録を可能とする。
【００１７】
なお、本発明において、処理液はプリント性を向上させる作用を有する液体である。ここで、プリント性の向上とは、濃度、彩度、エッジ部分のシャープネス度合、ドット径等の画質を向上させること、インクの定着性を向上させること、耐水性、耐光性等の耐候性すなわち画像保存性を向上させること、にじみや白モヤの発生を抑えることを含む。また、処理液とは、上記プリント性の向上に寄与する液体であり、インク中の色材を不溶化または凝集させる物質を含んだ液体であり、インク中の染料を不溶化する液体、インク中の顔料に分散破壊を生じせしめる液体、等を含むものである。ここで、不溶化とは、インク中の染料に含まれるアニオク性基とプリント性向上液中に含まれるカチオン性物質のカチオン性基がイオン的に相互作用を起こしてイオン結合が生じ、インク中に均一に溶解していた染料が溶液中から分離する現象である。なお、本発明においては必ずしもインク中のすべての染料を不溶化しなくとも、本発明で述べるようなカラーブリード抑制、発色性の向上、文字品位の向上、定着性の向上といった効果が得られる。また、凝集とは、インクに使用している色剤がアニオン性基を有する水溶性染料の場合には、不溶化と同一の意味で使用される。また、インクに使用している色剤が顔料の場合には、顔料分散剤あるいは顔料表面とプリント性向上液中に含まれるカチオン性物質のカチオン性基がイオン的相互作用を起こし、顔料の分散破壊が生じ、顔料の粒子径が巨大化することを含む。通常、上述した凝集に伴って、インクの粘度が上昇する。なお、本発明においては必ずしもインク中のすべての顔料または顔料分散剤が凝集しなくとも、本発明で述べるようなカラーブリード抑制、発色性の向上、文字品位の向上、定着性の向上といった効果が得られる。
【００１８】
【発明の実施の形態】
以下、図面を参照して本発明の実施例を詳細に説明する。
【００１９】
図１は、本発明の一実施例に係るインクジェット記録装置１００の概略図を示す斜視図である。
【００２０】
図１において、記録装置１００の給紙位置に挿入された記録媒体１０６は、送りローラ１０９によってインクジェットカートリッジ１０３による印刷可能領域へ搬送される。この印刷可能領域における記録媒体の背面部には、プラテン１０８が設けられている。
【００２１】
キャリッジ１０１は、ガイド軸１０４とガイド部１０５によって一定の方向に移動可能な構成となっており、これにより、インクジェットカートリッジ１０３は印刷領域を主走査方向に往復走査することができる。キャリッジ１０１には、複数の色のインクを吐出することができるインクジェットヘッドと、インクと反応してインク中の色材を不溶化させる処理液を吐出させるインクジェットヘッド、そしてそれぞれのインクジェットヘッド１０２に対応してインクや処理液を供給するためのインクタンクを含むインクジェットカートリッジ１０３が搭載される。吐出するインクの色としては、例えば、ブラック（Ｂｋ）、シアン（Ｃ）、マゼンタ（Ｍ）、イエロー（Ｙ）の４色を用いることができる。さらに写真画質に迫る記録を可能とするために色材濃度を１／３から１／４程度にした淡インクも用いることができる。この場合は画素内に淡インクを重ねて記録したり濃インクと淡インクを併用して画素を記録することにより階調を表現することができる。
【００２２】
ここで前記ガイド軸１０４は偏心軸であり、このガイド軸１０４に取り付けられたギア１０２を回転することで、ガイド軸の偏心量によってキャリッジ１０１を上下に移動させることができる。ギヤ１２０の回転駆動は、不図示の紙間制御モータから伝達ベルト１２１、ギア１２２を介して行われる。
【００２３】
キャリッジ１０１が移動可能な領域の左端においては、その下部に回復系ユニット１１０が設けられ、記録開始時にインクジェットヘッドの吐出部から増粘したインクを排出したり、非記録時等に各インクジェットヘッドの吐出口部をキャップ部材によりキャップすることで吐出口からインク中の溶媒が蒸発しないようにすること等が可能となる。
【００２４】
操作部１０７はスイッチ部と表示素子部を示し、スイッチ部はインクジェット記録装置の電源のオン／オフや各種記録モードの設定時等に使用され、表示素子部は記録装置の各種状態を表示するためのものである。
【００２５】
図２は、図１に示したインクジェットカートリッジ１０３を構成するインクジェットヘッドの吐出口面の一例を示す図である。
【００２６】
インクジェットヘッド１０２は、それぞれ黒インクＫを吐出する２つのヘッドエレメント２００Ｂｋ１（ノズル列Ｂｋ１）、２００Ｂｋ２（ノズル列Ｂｋ２）と処理液Ｓを吐出するヘッドエレメント２００Ｓ（ノズル列Ｓ）とからなり、各ヘッドエレメントはフレーム２０４により主走査方向にピッチ１／２インチで配置されている。
【００２７】
この構成のインクジェットカートリッジ１０３においては、往方向記録でＢｋ１−Ｓ−Ｂｋ２、復方向記録でＢｋ２−Ｓ−Ｂｋ１の順でインク及び処理液の吐出を行う。
【００２８】
図３は以上の構成によるインクジェット記録装置の制御系の構成の一例を示すブロック図である。同図において１０１０は記録媒体に応じて記録ヘッドの吐出口面と記録媒体との間隔を制御する制御手段を含む制御部であり、１０００は各部を制御するＭＰＵ、１００１はその制御手順に対応したプログラム等を格納したＰＯＭ、１００２は制御手順実行時におけるワークエリアとして用いられるＲＡＭである。
【００２９】
制御部１０１０には、操作部１０７、プリンタユニット２３がインターフェース部１００３を介して接続されている。制御部１０１０から出力された制御信号は、回復系ユニット１を駆動し、ヘッドドライバ２５を介して記録ヘッド６を駆動し、モータドライバ２７を介してキャリッジモータ１０を駆動し、紙間制御モータ２９を駆動する。
【００３０】
図４は、図３に示す制御部１０１０が実行する紙間制御を示すフローチャートである。
【００３１】
まず、ステップＳ１において、記録を実施する記録媒体が普通紙か専用高品位媒体かの判別をする。ここで普通紙の場合はインクと処理液を併用して記録を行うことにする。ところで、専用高品位媒体は、インクを付与する側にインク受容層等を設けることで、処理液を併用することなく所定の耐水性や低インクにじみ等の性能を満足させるよう構成しているので処理液を使わない。つまり、上述のステップＳ１における判別は処理液を使うか否かの判別をするということになる。
【００３２】
ステップＳ１において普通紙と判別すれば、ステップＳ２に進み、高速記録の１のパス記録モードであるか高品位のマルチパスモードであるかの判別を行う。尚、１パス記録モードとマルチパス記録モードのいずれで記録を行うかは前述の操作部１０７より操作者が設定する。１パス記録モードであれば、ステップＳ３に進み、紙間制御モータ２９を駆動させて紙間１．５ｍｍにする。尚、ここで１パス記録モードとは記録ヘッドの１回の主走査で記録を完成するモードであり、一方、マルチバス記録モードは記録を記録ヘッドの複数回の主走査に分けて行うモードである。また、マルチパス記録モードであれば、１パス記録モードより各パス（各主走査）における記録密度が低いので不溶化物の跳ね返りミストが少ないので紙間を少し狭くすることができ１．２ｍｍに設定することができる。このようにして１パス記録モードのときは紙間を大きくして不溶化物の跳ね返りミストの影響を低減させるとともにコックリングによる記録ヘッドの擦れが生じにくいようにする。一方、マルチパス記録モードのときは紙間距離を小さくすることで高品位な画像を記録することができる。
【００３３】
次に、ステップＳ１で専用高品位媒体の場合にはステップＳ５へ進む。ステップＳ５では、光沢フィルムやＯＨＰフィルム等のフィルム媒体かコート紙や光沢紙等の専用記録紙かの判断を行う。ところで、フィルム媒体の場合は、インクの打ち込みによって媒体に伸びが発生しないのでコックリングがほとんど生じない。また、専用記録紙の場合は、普通紙よりは少ないがコックリングは生じる。つまり、ステップＳ５は、コックリングが生じやすい媒体であるか否かの判定を行うということになる。
【００３４】
ステップＳ５でフィルム媒体であると判断すると（ステップＳ５でＹＥＳ）、ステップＳ６に進み、紙間制御モータ２９を駆動させて紙間を０．５ｍｍに調整する。また、専用紙であれば（ステップＳ５でＮＯ）、コックリングを考慮して紙間を０．８ｍｍに調整する。
【００３５】
このようにしてフィルム媒体を使用しないときは紙間を大きくしてコックリングによる記録ヘッドの擦れが起きにくいようにし、一方、フィルム媒体を使用するときは紙間を小さくすることで高品位な画像を記録することができる。
【００３６】
尚、通常、プリンターはパソコンに接続して使用され、記録モードはパソコンに組み込まれたプリンタドライバー上で設定する。そこで、紙間制御は、そのプリンタドライバーで選択された記録モードの信号の種類をプリンタ側で判別して行われることが最も望ましい。ただし、前記したようにプリンターの操作部のスイッチ部を操作することで記録モードを変えられるプリンターについては、スイッチ部で選択された記録モードをプリンタの制御部が判別することで紙間制御が行われる構成とする。
【００３７】
本発明は、特にインクジェット記録方式の中でも熱エネルギーを利用して飛翔的液滴を形成し、記録を行うインクジェット方式の記録ヘッド、記録装置において優れた効果をもたらすものである。
【００３８】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアンス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。
【００３９】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００４０】
記録ヘッドの構成としては、上述の各明細書に開示されているような吐出口、液路、電気熱変換体の組み合わせ構成（直線状液流路または直角液流路）の他に熱作用部が屈曲する領域に配置されている構成を開示する米国特許第４５５８３３３号明細書、米国特許第４４５９６００号明細書を用いた構成としてもよい。
【００４１】
加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成とすることもできる。
【００４２】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００４３】
また、記録ヘッドに対しての回復手段、予備的な補助手段等を付加することは本発明の効果を一層安定できるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００４４】
さらに、記録装置の記録モードとしては、記録ヘッドを一体的に構成するか複数個の組み合わせにより、異なる色の複色カラー、または混色によるフルカラーの少なくとも一つの記録モードを備えた装置あるいは黒色等の主流色のみの記録モードだけを備えた装置とすることもできる。
【００４５】
以上説明した本発明実施例においては、インクを液体として説明しているが、室温やそれ以下で固化するインクであって、室温で軟化するもの、もしくは液体であるもの、あるいは上述のインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。
【００４６】
加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや、記録媒体に到達する時点では既に固化し始めるもの等のような、熱エネルギーによって初めて液化する性質のインクの使用も本発明には適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対対して対向するような形態としてもよい。本発明においては、上述した各インクに対して最も有効なものは、上述した膜沸騰方式を実行するものである。
【００４７】
【発明の効果】
以上詳述したように、本発明のように構成することで、インクとインク中の色材を不溶化または凝集させる処理液を吐出するインクジェット記録ヘッドを用いて記録を行うに際し、跳ね返りミストによる吐出口への不溶化物の付着を低減することが可能となり、安定した記録品位で記録を続けることができる信頼性の高いインクジェット記録装置およびインクジェット記録方法を提供することができる。
【００４８】
また、高デューティー記録時に問題であった記録媒体のコックリングによるインクジェット記録ヘッドの擦れの問題を解決することが可能となる。
【００４９】
しかも、高画質記録媒体においては紙間を非常に狭くすることができるのでこれまで以上の画質を提供することができる。
【図面の簡単な説明】
【図１】本発明の第１の実施例にかかるインクジェット記録装置を示す斜視図である。
【図２】図１に示したインクジェット記録装置のインクジェット記録ヘッドの吐出口面を示す図である。
【図３】本発明のインクジェット記録装置の制御系の構成の一例を示すブロック図である。
【図４】本発明のインクジェット記録装置の制御部が実行する紙間距離調整の各工程を示すフローチャートである。
【符号の説明】
１  回復系ユニット
６  記録ヘッド
１０  キャリッジモータ
２５  ヘッドドライバ
２７  モータドライバ
２９  紙間制御モータ
１００  インクジェット記録装置
１０１  キャリッジ
１０２  インクジェット記録ヘッド
１０３  インクジェットカートリッジ
１０４  ガイド軸
１０５  ガイド部
１０６  記録媒体
１０７  操作部
１０８  プラテン
１０９  送りローラ
１２０、１２２  ギア
１２１  伝達ベルト
２０６  吐出口
１０００  ＭＰＵ
１００１  ＲＯＭ
１００２  ＲＡＭ
１００３  インターフェイス部
１０１０  制御部
【図１】
0003667096.tif 000002
【図２】
0003667096.tif 000003
【図３】
0003667096.tif 000004
【図４】
0003667096.tif 000005